(57)【特許請求の範囲】
【請求項１】
複数枚のシートからなる束を二つ折りにする折り処理手段と、
二つ折りされた冊子束の折り端部を押圧して折り端部を角張った形状に変形させる変形処理手段と、
冊子束の端部を裁断する裁断処理手段と、
前記裁断処理手段から前記変形処理手段へ冊子束を搬送する搬送手段と、
を備え、
前記裁断処理手段により折り端部と交差する２つの端部である天地の裁断処理を行った冊子束を前記搬送手段により前記変形処理手段に搬送し、前記変形処理手段による変形処理を行うことを特徴とするシート処理装置。
【請求項２】
複数枚のシートからなる束を二つ折りにする折り処理手段と、
二つ折りされた冊子束の折り端部を押圧して折り端部を角張った形状に変形させる変形処理手段と、
冊子束の折り端部と対向する端部である小口と、折り端部と交差する２つの端部である天地を裁断する裁断処理手段と、
前記裁断処理手段から前記変形処理手段へ冊子束を搬送する搬送手段と、
を備え、
前記裁断処理手段により天地の裁断処理を行った冊子束を前記搬送手段により前記変形処理手段に搬送し、前記変形処理手段による変形処理を行い、変形処理を行った後に前記裁断処理手段により小口の裁断処理を行うことを特徴とするシート処理装置。
【請求項３】
前記裁断処理手段は、冊子束の小口を裁断する小口裁断処理手段と、冊子束の天地を裁断する天地裁断処理手段を備えることを特徴とする請求項２に記載のシート処理装置。
【請求項４】
冊子束に対して前記変形処理手段による変形処理を実施する前に前記天地裁断処理手段により天地裁断処理を実施し、前記変形処理手段による変形処理を実施した後に前記小口裁断処理手段により小口裁断処理を実施することを特徴とする請求項３に記載のシート処理装置。
【請求項５】
シートに画像を形成する画像形成部と、
画像が形成されたシートを処理するシート処理装置と、
を備え、
前記シート処理装置は、
複数枚のシートからなる束を二つ折りにする折り処理手段と、二つ折りされた冊子束の折り端部を押圧して折り端部を角張った形状に変形させる変形処理手段と、
冊子束の端部を裁断する裁断処理手段と、
前記裁断処理手段から前記変形処理手段へ冊子束を搬送する搬送手段と、
を備え、
前記裁断処理手段により折り端部と交差する２つの端部である天地の裁断処理を行った冊子束を前記搬送手段により前記変形処理手段に搬送し、前記変形処理手段による変形処理を行うことを特徴とする画像形成装置。
【請求項６】
シートに画像を形成する画像形成部と、
画像が形成されたシートを処理するシート処理装置と、
を備え、
前記シート処理装置は、
複数枚のシートからなる束を二つ折りにする折り処理手段と、
二つ折りされた冊子束の折り端部を押圧して折り端部を角張った形状に変形させる変形処理手段と、
冊子束の折り端部と対向する端部である小口と、折り端部と交差する２つの端部である天地を裁断する裁断処理手段と、
前記裁断処理手段から前記変形処理手段へ冊子束を搬送する搬送手段と、
を備え、
前記裁断処理手段により天地の裁断処理を行った冊子束を前記搬送手段により前記変形処理手段に搬送し、前記変形処理手段による変形処理を行い、変形処理を行った後に前記裁断処理手段により小口の裁断処理を行うことを特徴とする画像形成装置。
【請求項７】
前記裁断処理手段は、冊子束の小口を裁断する小口裁断処理手段と、冊子束の天地を裁断する天地裁断処理手段を備えることを特徴とする請求項６に記載の画像形成装置。
【請求項８】
冊子束に対して前記変形処理手段による変形処理を実施する前に前記天地裁断処理手段により天地裁断処理を実施し、前記変形処理手段による変形処理を実施した後に前記小口裁断処理手段により小口裁断処理を実施することを特徴とする請求項７に記載の画像形成装置。
【請求項９】
シートに画像を形成する画像形成部を有する画像形成装置本体と、
前記画像形成装置本体から出力された複数枚のシートからなる束を二つ折りにする折り処理手段と、
二つ折りされた冊子束の折り端部を押圧して折り端部を角張った形状に変形させる変形処理手段と、
前記冊子束の端部を裁断する裁断処理手段と、
前記裁断処理手段から前記変形処理手段へ冊子束を搬送する搬送手段と、
を備え、
前記裁断処理手段により折り端部と交差する２つの端部である天地の裁断処理を行った冊子束を前記搬送手段により前記変形処理手段に搬送し、前記変形処理手段による変形処理を行うことを特徴とする画像形成システム。
【請求項１０】
シートに画像を形成する画像形成部を有する画像形成装置本体と、
前記画像形成装置本体から出力された複数枚のシートからなる束を二つ折りにする折り処理手段と、
二つ折りされた冊子束の折り端部を押圧して折り端部を角張った形状に変形させる変形処理手段と、
冊子束の折り端部と対向する端部である小口と、折り端部と交差する２つの端部である天地を裁断する裁断処理手段と、
前記裁断処理手段から前記変形処理手段へ冊子束を搬送する搬送手段と、
を備え、
前記裁断処理手段により天地の裁断処理を行った冊子束を前記搬送手段により前記変形処理手段に搬送し、前記変形処理手段による変形処理を行い、変形処理を行った後に前記裁断処理手段により冊子束の小口の裁断処理を行うことを特徴とする画像形成システム。
【請求項１１】
前記裁断処理手段は、冊子束の小口を裁断する小口裁断処理手段と、冊子束の天地を裁断する天地裁断処理手段を備えることを特徴とする請求項１０に記載の画像形成システム。
【請求項１２】
冊子束に対して前記変形処理手段による変形処理を実施する前に前記天地裁断処理手段により天地裁断処理を実施し、前記変形処理手段による変形処理を実施した後に前記小口裁断処理手段により小口裁断処理を実施することを特徴とする請求項１１に記載の画像形成システム。
【発明の詳細な説明】
【技術分野】
【０００１】
本発明は、中折り処理された冊子束に対して所定の処理を施すシート処理装置、及びこの処理機能を有する画像形成装置、及び前記シート処理装置を有する画像形成システムに関する。
【背景技術】
【０００２】
従来、画像形成装置本体から出力されたシートに処理を施すシート処理装置としては、シート束を中央で二つ折りにする処理（以下、中折り処理という）を行うことで中折り冊子束（中綴じ製本も含む）を作成するシート処理装置が知られている。
【０００３】
また、前述の中折り冊子束の品位を向上させるために、中折り冊子束の折り端部（綴じ側の背）を平坦にする処理（以下、平坦処理という、平坦処理は変形処理の一つである）を行うシート処理装置が提案されている（特許文献１，２参照）。
【０００４】
あるいは、前述の中折り冊子束の品位を向上させるために、中折り冊子束の小口（開き側）を裁断する処理（以下、小口裁断処理という）を行い、小口が整った中折り冊子束を生成するシート処理装置が知られている。
【０００５】
【特許文献１】特開２００４−３４５８６３
【特許文献２】特開２００６−２９０５８８
【発明の開示】
【発明が解決しようとする課題】
【０００６】
そこで、前述の中折り冊子束の品位を更に向上させるために、小口裁断処理を実施して中折り冊子束の小口を整えた後、その中折り冊子束に平坦処理を実施することが考えられる。
【０００７】
しかしながら、小口裁断処理を実施して小口を整えた中折り冊子束に対して、平坦処理を実施すると、再び小口裁断面にバラツキが発生してしまい、冊子束の品位を低下させてしまうおそれがある。
【０００８】
また、小口が裁断された中折り冊子束の品位を更に向上させるために、小口と交差する端部である中折り冊子束の天地の対向する２つの端部を裁断する処理（以下、天地裁断処理という）を実施することが考えられる。
【０００９】
しかしながら、平坦処理を実施した中折り冊子束に対して、天地裁断処理を実施すると、天地裁断処理時の刃の圧力により平坦処理した折り端部が潰れてしまい、冊子束の品位を低下させてしまうおそれがある。
【００１０】
そこで、本発明の目的は、中折り冊子束に対して平坦処理と裁断処理を組み合わせて実施しても、冊子束の品位を低下させることなく、冊子束の品位を更に向上させることができるシート処理装置を提供することである。
【課題を解決するための手段】
【００１１】
上記目的を達成するための本発明は、複数枚のシートからなる束を二つ折りにする折り処理手段と、二つ折りされた冊子束の折り端部を押圧して折り端部を角張った形状に変形させる変形処理手段と、冊子束の端部を裁断する裁断処理手段と、前記裁断処理手段から前記変形処理手段へ冊子束を搬送する搬送手段と、を備え、前記裁断処理手段により折り端部と交差する２つの端部である天地の裁断処理を行った冊子束を前記搬送手段により前記変形処理手段に搬送し、前記変形処理手段による変形処理を行うことを特徴とする。
【００１２】
また上記目的を達成するための本発明は、複数枚のシートからなる束を二つ折りにする折り処理手段と、二つ折りされた冊子束の折り端部を押圧して折り端部を角張った形状に変形させる変形処理手段と、冊子束の折り端部と対向する端部である小口と、折り端部と交差する２つの端部である天地を裁断する裁断処理手段と、前記裁断処理手段から前記変形処理手段へ冊子束を搬送する搬送手段と、を備え、前記裁断処理手段により天地の裁断処理を行った冊子束を前記搬送手段により前記変形処理手段に搬送し、前記変形処理手段による変形処理を行い、変形処理を行った後に前記裁断処理手段により小口の裁断処理を行うことを特徴とする。
【発明の効果】
【００１３】
本発明によれば、裁断処理手段によって裁断する冊子束の端部の位置に応じて、冊子束の品位が向上するように、変形処理と裁断処理の順番を変更する。これにより、冊子束に対して変形処理と裁断処理を組み合わせて実施しても、冊子束の品位を低下させることなく、冊子束の品位を更に向上させることができる。
【発明を実施するための最良の形態】
【００１４】
以下、図面を参照して、本発明の好適な実施の形態を例示的に詳しく説明する。ただし、以下の実施の形態に記載されている構成部品の寸法、材質、形状、それらの相対配置などは、本発明が適用される装置の構成や各種条件により適宜変更されるべきものである。したがって、特に特定的な記載がない限りは、本発明の範囲をそれらのみに限定する趣旨のものではない。
【００１５】
ここでは、画像形成装置本体とシート処理装置とを備えた画像形成システムを例示して説明する。また、シート処理装置は、フィニッシャ、天地裁断装置、平坦処理装置、小口裁断装置が個別の装置でシステム構成されるシート処理装置を例示している。これに限らず、フィニッシャ５００、天地裁断装置６００、平坦処理装置７００、小口裁断装置８００を種々の組み合わせにより一体化させた構成でもよい。
【００１６】
（画像形成システムの全体構成）
まず図１を用いて画像形成システムの全体構成について説明する。図１は画像形成システムの主要部の構成を示す全体構成図である。
【００１７】
画像形成システムは、図１に示すように、画像形成装置本体１０と、シート処理装置２０を備えている。シート処理装置２０は、フィニッシャ５００と、天地裁断装置６００、平坦処理装置７００、小口裁断装置８００から構成されている。画像形成装置本体１０は、原稿の画像を読み取るイメージリーダ２００及びシートに画像を記録するプリンタ３００を備えている。
【００１８】
イメージリーダ２００には、原稿給送装置１００が搭載されている。原稿給送装置１００は、原稿トレイ上に上向きにセットされた原稿を先頭ページから順に１枚ずつ給送し、湾曲したパスを介してプラテンガラス１０２上の読取位置へ搬送し、その後外部の排出トレイ１１２に向けて排出する。
【００１９】
この原稿がプラテンガラス１０２上の読取位置を通過するときに、原稿の画像は読取位置に対応する位置に保持されたスキャナユニット１０４により読み取られる。この読取方法は、一般的に、原稿流し読みと呼ばれる方法である。具体的には、原稿が読取位置を通過する際に、原稿の読取面（画像面）がスキャナユニット１０４のランプ１０３の光で照射され、その原稿からの反射光がミラー１０５，１０６，１０７を介してレンズ１０８に導かれる。このレンズ１０８を通過した光は、イメージセンサ１０９の撮像面に結像する。
【００２０】
このように読取位置を通過するように原稿を搬送することによって、原稿の搬送方向に対して直交する方向を主走査方向とし、搬送方向を副走査方向とする原稿読取走査が行われる。すなわち、原稿が読取位置を通過する際に主走査方向に原稿画像を１ライン毎にイメージセンサ１０９で読み取りながら、原稿を副走査方向に搬送することによって原稿画像全体の読み取りが行われる。このようにして光学的に読み取られた画像はイメージセンサ１０９によって画像データに変換されて出力される。イメージセンサ１０９から出力された画像データは、後述する画像信号制御部９２２（図２参照）において所定の処理が施された後にプリンタ３００の露光制御部１１０にビデオ信号として入力される。
【００２１】
なお、原稿給送装置１００により原稿をプラテンガラス１０２上に搬送して所定位置に停止させ、この状態でスキャナユニット１０４を副走査方向へ走査させることにより原稿の画像を読み取ることも可能である。この読取方法は、いわゆる原稿固定読みと呼ばれる方法である。
【００２２】
原稿給送装置１００を使用しないで原稿を読み取るときには、まず、ユーザーにより原稿給送装置１００を持ち上げてプラテンガラス１０２上に原稿を載置する。そして、スキャナユニット１０４を副走査方向へ走査させることにより原稿の読み取りを行う。すなわち、原稿給送装置１００を使用しないで原稿の画像を読み取るときには、原稿固定読みが行われる。
【００２３】
プリンタ３００の露光制御部１１０は、入力されたビデオ信号に基づきレーザ光を変調して出力し、レーザ光はポリゴンミラー１１０ａにより走査されながら画像形成部を構成する感光ドラム１１１上に照射される。感光ドラム１１１には走査されたレーザ光に応じた静電潜像が形成される。ここで、露光制御部１１０は、後述するように、原稿固定読み時には、正しい画像（鏡像でない画像）が形成されるようにレーザ光を出力する。
【００２４】
この感光ドラム１１１上の静電潜像は、現像器１１３から供給される現像剤によって現像剤像として可視像化される。また、レーザ光の照射開始と同期したタイミングで、各カセット１１４，１１５、手差給送部１２５又は両面搬送パス１２４からシートが給送される。このシートは感光ドラム１１１と転写部１１６との間に搬送される。感光ドラム１１１に形成された現像剤像は転写部１１６により給送されたシート上に転写される。
【００２５】
現像剤像が転写されたシートは定着部１１７に搬送される。定着部１１７はシートに熱及び圧力を付与することによって現像剤像をシート上に定着させる。定着部１１７を通過したシートは切替部材１２１及び排出ローラ１１８を経てプリンタ３００から外部（フィニッシャ５００）に向けて排出される。
【００２６】
ここで、シートをその画像形成面が下向きになる状態（フェイスダウン）で排出するときには、定着部１１７を通過したシートを切替部材１２１の切換動作により一旦反転パス１２２内に導く。そのシートの後端が切替部材１２１を通過した後に、シートをスイッチバックさせて排出ローラ１１８によりプリンタ３００から排出する。以下、この排出形態を反転排出と呼ぶ。この反転排出は、原稿給送装置１００を使用して読み取った画像を形成するとき、又はコンピュータから出力された画像を形成するときなどのように先頭ページから順に画像形成するときに行われる。その排出後のシートの順序は正しいページ順になる。
【００２７】
また、手差給送部１２５からＯＨＰシートなどの硬いシートが給送され、このシートに画像を形成するときには、シートを反転パス１２２に導くことなく、画像形成面を上向きにした状態（フェイスアップ）で排出ローラ１１８により排出する。
【００２８】
さらに、シートの両面に画像形成を行う両面記録が設定されている場合には、切替部材１２１の切換動作によりシートを反転パス１２２に導いた後に両面搬送パス１２４へ搬送する。そして、両面搬送パス１２４へ導かれたシートを上述したタイミングで感光ドラム１１１と転写部１１６との間に再度給送する制御が行われる。
【００２９】
プリンタ３００から排出されたシートは、シート処理装置２０に送られる。シート処理装置２０は、搬送方向上流側から順に、フィニッシャ５００、天地裁断装置６００、平坦処理装置７００、小口裁断装置８００が設けられている。したがって、プリンタ３００から排出されたシートは、まずフィニッシャ５００に送られる。フィニッシャ５００では、複数枚のシートからなる束を中央で二つ折りにする中折り処理などの各処理を行う。フィニッシャ５００にて中折り処理されたシート束（以下、冊子束という）は、天地裁断装置６００、平坦処理装置７００、小口裁断装置８００を通って各処理が選択的に実施され、製本積載トレイ１１へ排出される。なお、後述するが、小口裁断装置８００、天地裁断装置６００では、フィニッシャ５００で中折り処理された冊子束の端部の裁断処理を行う。また、変形処理手段としての平坦処理装置７００では、中折り処理された冊子束の折り端部を押圧することで平坦化する平坦処理を行う。平坦処理は、折り端部を変形させる変形処理の一つであり、中折り処理された冊子束の折り端部は平坦処理によって角張った背面形状に変形される。そして、各処理が選択的に実施された最終成果物としての冊子束は製本積載トレイ１１へ排出される。
【００３０】
（画像形成システムのコントローラ）
次に、画像形成システム全体の制御を司るコントローラの構成について図２を参照しながら説明する。図２は図１の画像形成システム全体の制御を司るコントローラの構成を示す全体ブロック図である。
【００３１】
コントローラは、図２に示すように、ＣＰＵ回路部９００を有している。ＣＰＵ回路部９００は、画像形成装置本体１０に搭載され、ＣＰＵ（図示せず）、ＲＯＭ９０１、ＲＡＭ９０２を内蔵しており、ＲＯＭ９０１に格納されている制御プログラムにより各ブロック９１１，９２１，９２２，９３１，９４１，９５１を総括的に制御する。ＲＡＭ９０２は、制御データを一時的に保持し、また制御に伴う演算処理の作業領域として用いられる。
【００３２】
原稿給送装置制御部９１１は、原稿給送装置１００をＣＰＵ回路部９００からの指示に基づき駆動制御する。イメージリーダ制御部９２１は、上述のスキャナユニット１０４、イメージセンサ１０９などに対する駆動制御を行い、イメージセンサ１０９から出力されたアナログ画像信号を画像信号制御部９２２に転送する。
【００３３】
画像信号制御部９２２は、イメージセンサ１０９からのアナログ画像信号をデジタル信号に変換した後に各処理を施し、このデジタル信号をビデオ信号に変換してプリンタ制御部９３１に出力する。また、画像信号制御部９２２は、コンピュータ９０３から外部Ｉ／Ｆ９０４を介して入力されたデジタル画像信号に各種処理を施し、このデジタル画像信号をビデオ信号に変換してプリンタ制御部９３１に出力する。この画像信号制御部９２２による処理動作は、ＣＰＵ回路部９００により制御される。プリンタ制御部９３１は、入力されたビデオ信号に基づき上述の露光制御部１１０を駆動する。
【００３４】
操作表示装置制御部９４１は、操作表示装置４００（図１参照）とＣＰＵ回路部９００との間で情報のやり取りを行う。操作表示装置４００は、画像形成装置本体１０に搭載され、画像形成に関する各種機能を設定する複数のキー、設定状態を示す情報を表示するための表示部などを有している。操作表示装置制御部９４１は、各キーの操作に対応するキー信号をＣＰＵ回路部９００に出力するとともに、ＣＰＵ回路部９００からの信号に基づき対応する情報を表示部に表示する。
【００３５】
フィニッシャ制御部９５１はフィニッシャ５００に搭載され、ＣＰＵ回路部９００と情報のやり取りを行うことによってフィニッシャ全体の駆動制御を行う。この制御内容については後述する。フィニッシャ制御部９５１は、各ブロック９６１，９７１，９８１を総括的に制御する。
【００３６】
小口裁断制御部９８１は小口裁断装置８００に搭載され、フィニッシャ制御部９５１と情報のやり取りを行い、小口裁断装置全体の駆動制御を行う。この制御については後述する。
【００３７】
天地裁断制御部９６１は天地裁断装置６００に搭載され、フィニッシャ制御部９５１と情報のやり取りを行い、天地裁断装置全体の駆動制御を行う。この制御については後述する。
【００３８】
平坦処理制御部９７１は平坦処理装置７００に搭載され、フィニッシャ制御部９５１と情報のやり取りを行い、平坦処理装置全体の駆動制御を行う。この制御については後述する。
【００３９】
本実施の形態において、画像形成システムの制御は、ＣＰＵ回路部９００、フィニッシャ制御部９５１間の通信、フィニッシャ制御部９５１と、小口裁断制御部９８１、天地裁断制御部９６１、平坦処理制御部９７１との通信によって行われる。これに限らず、フィニッシャ制御部９５１をＣＰＵ回路部９００と一体的に画像形成装置本体１０に設ける、あるいは小口裁断制御部９８１、天地裁断制御部９６１、平坦処理制御部９７１をフィニッシャ制御部９５１と一体的にフィニッシャ５００に設けてもよい。
【００４０】
（操作表示装置）
図２８は図１の画像形成システムにおける操作表示装置４００を示す平面図である。図２８に示すように、操作表示装置４００には、様々なキーが配置されている。４０２は、画像形成動作を開始するためのスタートキーである。４０３は、画像形成動作を中断するためのストップキーである。４０４〜４１２及び４１４は、置数設定等を行うテンキーである。４１３はＩＤキー、４１５はクリアキー、４１６はリセットキーである。４１７は、各種装置の設定を行うユーザーモードキーである。また、操作表示装置４００には、上部にタッチパネルが形成された操作表示部４２０が配置されており、画面上にソフトキーを作成可能となっている。
【００４１】
画像形成システムでは、処理モードとしてノンソート、ソート、ステイプルソート（綴じモード）、製本モードなどの各処理モードを有する。このような処理モードの設定などは操作表示装置４００、あるいはコンピュータ９０３からの入力操作により行われる。例えば、処理モードを設定する際には、図２８に示す初期画面でソフトキーである「ソータ」を選択すると、メニュー選択画面が操作表示部４２０、あるいは不図示のモニターに表示され、このメニュー選択画面を用いて処理モードの設定が行われる。
【００４２】
図１において、ユーザーが操作表示装置４００の操作表示部４２０に臨む側が装置の正面であり、以下、装置正面に立ったユーザー側を装置の手前側、ユーザーから遠い側を奥側として説明する。
【００４３】
（フィニッシャ）
次に、フィニッシャ５００の構成について図３を参照しながら説明する。図３は図１のフィニッシャ５００の構成図である。
【００４４】
フィニッシャ５００は、画像形成装置本体１０から排出されたシートを順に取り込み、以下の所定の処理を選択的に行う。所定の処理としては、取り込んだ複数枚のシートを整合して１つに束に束ねる処理、束ねたシート束の後端をステイプルで綴じるステイプル処理、取り込んだシートの後端付近に穴あけをするパンチ処理、ソート処理、ノンソート処理、製本処理などがある。
【００４５】
フィニッシャ５００は、図３に示すように、画像形成装置本体１０から排出されたシートを入口ローラ対５０１により内部に取り込む。入口ローラ対５０１により内部に取り込まれたシートは、搬送ローラ対５０２を介してバッファローラ５０３に向けて送られる。入口ローラ対５０１と搬送ローラ対５０２との間の搬送経路途中には、入口センサ５７０が設けられている。
【００４６】
また、入口ローラ対５０１の下流には切替部材５５１が配置されており、切替部材５５１によりソートパス５１０、ノンソートパス５０９へのパスと、製本パス５５０へパスを切り換えることが出来る。
【００４７】
バッファローラ５０３は、その外周に搬送ローラ対５０２を介して送られたシートを所定枚数積層して巻き付け可能なローラであって、該ローラの外周にはその回転中にシートが各押下コロ５０４，５０５，５０６により巻き付けられる。巻き付けられたシートはバッファローラ５０３の回転方向に搬送される。
【００４８】
各押下コロ５０５，５０６間には、切替部材５０７が配置されている。押下コロ５０６下流側には、切替部材５０８が配置されている。切替部材５０７はバッファローラ５０３に巻き付けられたシートをバッファローラ５０３から剥離してノンソートパス５０９又はソートパス５１０に導くための切替部材である。切替部材５０８はバッファローラ５０３に巻き付けられたシートをバッファローラ５０３から剥離してソートパス５１０に、又はバッファローラ５０３に巻き付けられたシートを巻き付けられた状態でバッファパス５１１に導くための切替部材である。
【００４９】
バッファローラ５０３に巻き付けられたシートをノンソートパス５０９に導くときには、切替部材５０７が動作してバッファローラ５０３から巻き付けられたシートが剥離され、ノンソートパス５０９に導かれる。ノンソートパス５０９に導かれたシートは、排出ローラ対５１２を介してサンプルトレイ５９０上に排出される。ノンソートパス５０９の途中には、排出センサ５７１が設けられている。
【００５０】
バッファローラ５０３に巻き付けられたシートをバッファパス５１１に導くときには、切替部材５０７及び切替部材５０８はともに動作せず、シートはバッファローラ５０３に巻き付けられた状態でバッファパス５１１に送られる。バッファパス５１１の途中には、バッファパス５１１上のシートを検出するためのバッファパスセンサ５７２が設けられている。
【００５１】
バッファローラ５０３に巻き付けられたシートをソートパス５１０に導くときには、切替部材５０７は動作せずに切替部材５０８が動作してバッファローラ５０３から巻き付けられたシートが剥離され、このシートはソートパス５１０に導かれる。
【００５２】
ソートパス５１０に導かれたシートは、搬送ローラ対５１３，５１４を介して中間トレイ（以下、処理トレイという）５２０上に積載される。処理トレイ５２０上に束状に積載されたシートは、必要に応じて手前側と奥側に設けられた整合部材５２１による整合処理、ステイプル処理などが施された後に、排出ローラ５２２ａ，５２２ｂによりスタックトレイ５９１上に排出される。排出ローラ５２２ｂは揺動ガイド５２４に支持され、揺動ガイド５２４は揺動モータ（図示せず）により排出ローラ５２２ｂを処理トレイ５２０上の最上部のシートに当接させるように揺動する。排出ローラ５２２ｂが処理トレイ５２０上の最上部のシートに当接された状態にあるときには、排出ローラ５２２０ｂは排出ローラ５２２ａと協働して処理トレイ５２０上のシート束をスタックトレイ５９１に向けて排出することが可能である。
【００５３】
上述のステイプル処理は、ステイプラ５２３により行われる。ステイプラ５２３は、処理トレイ５２０の外周に沿って移動可能に構成され、処理トレイ５２０に積載されたシート束を、シート搬送方向に対してシートの最後尾位置（後端）で綴じることが可能である。
【００５４】
また、切替部材５５１により製本パス５５０に導かれたシートは、以下に説明する中折り処理手段としての中折り機構により、シート束を中央で二つ折りにする中折り処理がなされる。製本パス５５０に導かれたシートは、搬送ローラ対５５２を介して製本中間トレイ（以下、製本処理トレイという）５６０に搬送される。製本パス５５０の途中には製本入口センサ５７４が設けられている。製本処理トレイ５６０には、中間ローラ５５３と可動式のシート位置決め部材５５４が設けられている。また、ステイプラ５５５と対向する位置にはアンビル（図示せず）が設けられており、ステイプラ５５５とアンビルが協働して、製本処理トレイ５６０の収納されたシート束に対してステイプル処理を行える構成となっている。
【００５５】
ステイプラ５５５の下流側には、折りローラ対５５６と、折りローラ対５５６の対向位置に突き出し部材５５７が設けられている。突き出し部材５５７を製本処理トレイ５６０に収納されたシート束に向けて突出することにより、製本処理トレイ５６０で束状に収納されたシート束を折りローラ対５５６間に押し出す。折りローラ対５５６は、シート束を折ると共に下流へとシート束を搬送する。折り込まれたシート束（冊子束）は、搬送ローラ対５５８を介して搬送方向下流側の装置へと受け渡される。搬送ローラ対５５８の下流には排出センサ５７５が設けられている。
【００５６】
（製本モードにおける中折り処理動作）
次に、フィニッシャ５００における中折り処理による製本モードの動作の流れについて、図４〜図８を参照しながら説明する。
【００５７】
製本モードが指定されると、図４が示すように入口ローラ対５０１、搬送ローラ対５５２が回転駆動され、画像形成装置本体１０から排出されたシートＰはフィニッシャ５００内に取り込まれて搬送される。切替部材５５１はシートＰが製本パス５５０へ導かれる状態で保持されており、シートＰは搬送ローラ対５５２により製本処理トレイ５６０に収納される。中間ローラ５５３が回転駆動されており、製本処理トレイ５６０に収納されたシートの先端がシート位置決め部材５５４に接するまで搬送される。シート先端が位置決め部材５５４に達し搬送が停止すると、整合部材（不図示）がシート搬送方向と直交する方向に動作し、シートの整合が行われる。
【００５８】
所定枚数のシートが整合されて収納されると、図５に示すようにシート位置決め部材５５４は、収納されたシート束の中央にステイプル処理が行われる位置へ移動する。そして、ステイプラ５５５により、前述のシート束の中央にステイプル処理（以下、中綴じ）が行われる。なお、中綴じ処理を実施しない場合には、中綴じ処理を実施せずに次の工程へ進む。
【００５９】
そして、図６及び図７に示すように、ステイプル位置（シートの中央）が折りローラ対５５６の中央位置になる位置までシート位置決め部材５５４を下降させる。折りローラ対５５６、搬送ローラ対５５８を回転駆動させると同時に、突き出し部材５５７を突出させてシート束を折りローラ対５５６間に押し出す。
【００６０】
シート束は図８に示すように、折りローラ対５５６に折り込まれつつ下流へと搬送され、搬送ローラ対５５８により機外若しくは他装置へと排出される。
【００６１】
このようにフィニッシャ５００にて中折り処理されたシート束（以下、冊子束という）は、天地裁断装置６００、平坦処理装置７００、小口裁断装置８００を順に通って、各処理が選択的に実施され、製本積載トレイ１１へ排出される。
【００６２】
ここで、天地裁断装置６００、平坦処理装置７００、小口裁断装置８００の各構成について、搬送方向上流側から順に説明する。
【００６３】
（天地裁断装置）
まず天地裁断装置６００の構成について図２１を参照しながら説明する。図２１は図１の天地裁断装置６００の説明図であり、図２１（ａ）は断面図、図２１（ｂ）は上視図である。
【００６４】
天地裁断装置６００は、中折り処理された冊子束Ｂに対して、前記冊子束Ｂの折り端部と交差する２つの端部である天地を裁断する天地裁断処理手段である。この天地裁断装置６００は、後述する小口裁断装置８００と共に、冊子束Ｂの端部を裁断して端部を揃える裁断処理手段を構成している。
【００６５】
天地裁断装置６００は入口搬送ローラ対６０１によりフィニッシャ５００の製本処理部で中折りされた冊子束Ｂをセンター基準で受け取る。
【００６６】
入口搬送ローラ対６０１は、上搬送ローラ６０１ａと下搬送ローラ６０１ｂで構成され、上搬送ローラ６０１ａはバネ（不図示）で上下方向に移動する構成になっており、束厚さが変わっても束を受け取れる構成となっている。
【００６７】
入口搬送ローラ対６０１の下流には、ベルト搬送ローラ６０２、搬送ローラ６０３、排出搬送ローラ６０４が配置されており、排出搬送ローラ６０４もバネ（不図示）で上下方向に移動する構成になっている。搬送ローラ６０３は、ソレノイド（不図示）により離間することが可能となっている。
【００６８】
搬送ローラ６０３の下流には受け取った冊子束Ｂの斜行を取るための斜行補正ストッパ６１３が設けられている。斜行補正ストッパ６１３は、斜行取りを完了したら回転退避して冊子束Ｂを排出搬送ローラ６０４へ受け渡せるようになっている。
【００６９】
整合板６０８は、装置奥側の整合板６０８ａと、装置手前側の整合板６０８ｂから構成され、斜行補正ストッパ６１３で斜行補正された冊子束Ｂのセンター位置が所定位置となるように搬送方向と直交する方向の整合動作を行う。
【００７０】
下裁断ガイド６０９と上裁断ガイド６１０は、それぞれ装置奥側の下裁断ガイド６０９ａ、上裁断ガイド６１０ａと、装置手前側の下裁断ガイド６０９ｂ、上裁断ガイド６１０ｂとから構成されている。下裁断ガイド６０９と上裁断ガイド６１０は、裁断位置に応じて搬送方向と直交する方向に移動が可能となっている。すなわち、ガイド６０９，６１０の端部が裁断位置となるように冊子束サイズと裁断量に応じて装置の奥、手前方向に移動する。上裁断ガイド６１０は裁断時に冊子束がずれないように、冊子束を上から押さえつける役割を持っている。
【００７１】
カッター６１１は、装置奥側のカッター６１１ａと、装置手前側のカッター６１１ｂとから構成されている。カッター６１１ａとカッター６１１ｂは、装置奥側と手前側の各下裁断ガイド６０９、上裁断ガイド６１０の移動と連動して移動し、ガイド端面に沿って裁断動作を実施するようになっている。裁断された天地屑は屑箱６１２に格納される。
【００７２】
搬送パス上には、冊子束Ｂの天地裁断装置６００への搬入を検知する入口センサ６０５、冊子束Ｂが斜行補正位置へ到達したかを検知するセンサ６０６、冊子束Ｂが天地裁断装置６００から排出されたことを検出するための排出口センサ６０７が設けられている。
【００７３】
（天地裁断処理動作）
次に天地裁断処理の動作の流れについて説明する。図２２〜図２７は天地裁断処理動作を説明するための説明図であり、各図の（ａ）は断面図、（ｂ）は上視図である。
【００７４】
図２２で示すように、中折りされた冊子束Ｂはセンター基準で入口搬送ローラ対６０１にて受け渡され、ベルト搬送ローラ６０２と搬送ローラ６０３の駆動により、斜行補正ストッパ６１３へ搬送される。この時には、上裁断ガイド６１０は上に退避状態となっており、整合板６０８も搬送方向と直交する方向外側に退避状態となっており、斜行補正ストッパ６１３は既に斜行補正位置に待機している。
【００７５】
次に図２３で示すように冊子束Ｂは斜行補正ストッパ６１３に突き当たり斜行取りがされた後、入口搬送ローラ対６０１、ベルト搬送ローラ６０２、搬送ローラ６０３を停止し、整合板６０８にて整合動作を行う。搬送ローラ６０３は整合動作時には離間して退避しており、整合動作完了後に離間を解除して、再度斜行補正ストッパ６１３へ突き当て動作を実施する。冊子束Ｂの位置が決まったところで下裁断ガイド６０９、上裁断ガイド６１０が裁断位置に移動し、それに連動してカッター６１１も裁断位置へ移動する。そして図２４で示すように、上裁断ガイド６１０を下降させることにより冊子束Ｂは固定される。
【００７６】
次に図２５で示すように、カッター６１１により天地裁断処理が実施され、冊子束Ｂの天地が裁断される。その後、図２６で示すように、上裁断ガイド６１０を上方向に退避させるとともに、上裁断ガイド６１０、下裁断ガイド６０９を冊子束Ｂから離れる方向に退避させる。
【００７７】
次に図２７で示すように、グリップが解除された冊子束Ｂは、ベルト搬送ローラ６０２、搬送ローラ６０３、排出搬送ローラ６０４を動かすことで天地裁断処理された冊子束Ｂを機外へ排出する。
【００７８】
（平坦処理装置）
次に、平坦処理装置７００の構成について図９を参照しながら説明する。図９は図１の平坦処理装置７００の説明図であり、図９（ａ）は断面図、図９（ｂ）は上視図である。
【００７９】
平坦処理装置７００は、中折り処理されたシート束（以下、冊子束という）Ｂに対して、前記冊子束Ｂの折り端部を押圧して折り端部を平坦（角張った背面形状）に変形させる変形処理手段である。折り端部が角張った背面形状に変形されたとき、冊子束の背は平坦でなく、凹形状であってもよい。
【００８０】
平坦処理装置７００はベルト搬送ローラ７０１によりフィニッシャ５００の製本処理部で中折りされた冊子束Ｂをセンター基準で受け取る。ここでは、天地裁断装置６００を通って天地裁断処理が選択的に実施された冊子束Ｂをセンター基準で受け取る。
【００８１】
ベルト搬送ローラ７０１は、下ベルト搬送ローラ７０１ａと上ベルト搬送ローラ７０１ｂで構成され、上ベルト搬送ローラ７０１ｂはバネ（不図示）で上下方向に移動する構成になっており、束厚さが変わっても束を受け取れる構成となっている。
【００８２】
ベルト搬送ローラ７０１の下流には、受け取った冊子束Ｂの斜行を取るための斜行補正ストッパ７０８が設けられている。斜行補正ストッパ７０８は、斜行取りを完了したら回転退避して冊子束Ｂを排出搬送ローラ７０２へ受け渡せるようになっている。
【００８３】
斜行補正ストッパ７０８で斜行補正された冊子束Ｂは、固定された下グリッパ７０７、移動可能な上グリッパ７０６によってグリップされる。
【００８４】
また、斜行補正ストッパ７０８は搬送方向に移動可能な構成となっており、冊子束Ｂの搬送方向のグリップ位置は斜行補正ストッパ７０８の斜行補正位置を調整することで、グリッパ端面からの冊子束Ｂの折り端部側のはみ出し量を調整できるようになっている。
【００８５】
グリッパ７０６，７０７によって固定された冊子束Ｂは、平坦処理するための圧接ローラ７０９を、グリッパからはみ出した冊子束Ｂの折り端部に圧接させた状態で、搬送方向と直交する方向に移動することで冊子束Ｂの折り端部を平坦化させる。圧接部材としての圧接ローラ７０９は、必ずしも円筒形でなくともよく、例えばクラウン形状にして冊子束Ｂの背を凹形状に変形させてもよい。
【００８６】
搬送パス上には、冊子束Ｂの平坦処理装置７００への搬入を検知する入口センサ７０３、冊子束Ｂが斜行補正位置へ到達したかを検知するセンサ７０４、冊子束Ｂが平坦処理装置７００から排出されたことを検出するための排出口センサ７０５が設けられている。
【００８７】
（平坦処理動作）
次に変形処理としての平坦処理の動作の流れについて説明する。図１０〜図１４は平坦処理動作を説明するための説明図であり、各図の（ａ）は断面図、（ｂ）は上視図である。
【００８８】
図１０で示すように、中折りされた冊子束Ｂはセンター基準でベルト搬送ローラ７０１に受け渡される。この時には、下グリッパ７０７、上グリッパ７０６は開放状態となっており、斜行補正ストッパ７０８は既に斜行補正位置に移動待機している。
【００８９】
次に図１１で示すように冊子束Ｂは斜行補正ストッパ７０８に突き当たり、斜行取りがされた後、ベルト搬送ローラ７０１を停止し、上グリッパ７０６を下降させることにより冊子束Ｂは固定される。
【００９０】
次に図１２で示すように、圧接ローラ７０９を動かすために、斜行補正ストッパ７０８を退避させる。そして、図１３で示すように圧接ローラ７０９が下グリッパ７０７、上グリッパ７０６からはみ出した冊子束Ｂの折り端部に圧接した状態で搬送方向と直交する方向へ往復移動することで、冊子束Ｂの折り端部の平坦処理が行われる。
【００９１】
次に図１４で示すように、上グリッパ７０６を上昇させて冊子束Ｂのグリップを解除し、ベルト搬送ローラ７０１、排出搬送ローラ７０２を動かすことで平坦処理された冊子束Ｂを機外へ排出する。
【００９２】
（小口裁断装置）
次に、小口裁断装置８００の構成について図１５を参照しながら説明する。図１５は図１の小口裁断装置８００の説明図であり、図１５（ａ）は断面図、図１５（ｂ）は上視図である。
【００９３】
小口裁断装置８００は、中折り処理された冊子束Ｂに対して、前記冊子束Ｂの折り端部と対向する端部である小口を裁断する小口裁断処理手段である。この小口裁断装置８００は、前述した天地裁断装置６００と共に、冊子束Ｂの端部を裁断して端部を揃える裁断処理手段を構成している。
【００９４】
小口裁断装置８００は入口搬送ローラ対８０１によりフィニッシャ５００の製本処理部で中折りされた冊子束Ｂをセンター基準で受け取る。ここでは、平坦処理装置７００を通って平坦処理が選択的に実施された冊子束Ｂをセンター基準で受け取る。この構成に限らず、前述した平坦処理装置７００を平坦処理部として小口裁断装置８００に一体的に取り込んだ構成でもよい。
【００９５】
入口搬送ローラ対８０１は、上搬送ローラ８０１ａと下搬送ローラ８０１ｂで構成され、上搬送ローラ８０１ａはバネ（不図示）で上下方向に移動する構成になっており、束厚さが変わっても束を受け取れる構成となっている。
【００９６】
入口搬送ローラ対８０１の下流には、ベルト搬送ローラ８０２、搬送ローラ８０３、排出搬送ローラ８０４が配置されており、排出搬送ローラ８０４、搬送ローラ８０３もバネ（不図示）で上下方向に移動する構成になっている。
【００９７】
搬送ローラ８０３の下流には受け取った冊子束Ｂの斜行を取るための斜行補正ストッパ８１０が設けられている。斜行補正ストッパ８１０は、斜行取りを完了したら回転退避して冊子束Ｂを排出搬送ローラ８０４へ受け渡せるようになっている。
【００９８】
斜行補正ストッパ７０８で斜行補正された束は、固定された下グリッパ８０８、移動可能な上グリッパ８０７によってグリップされる。
【００９９】
また、斜行補正ストッパ８１０は搬送方向に移動可能な構成となっており、冊子束Ｂの搬送方向のグリップ位置は斜行補正ストッパ８１０の斜行補正位置を調整することで、冊子束Ｂの小口裁断位置の調整を実現している。
【０１００】
グリッパ８０８，８０７によって固定された冊子束Ｂは、折り端部と対向する小口がカッター８０９により小口裁断処理される。裁断された屑は屑箱８１１へ格納される。
【０１０１】
搬送パス上には、冊子束Ｂの小口裁断装置８００への搬入を検知する入口センサ８０５、冊子束Ｂが斜行補正位置へ到達したかを検知するセンサ８０６、冊子束Ｂが小口裁断装置８００から排出されたことを検出するための排出口センサ８１２が設けられている。
【０１０２】
（小口裁断処理動作）
次に小口裁断処理の動作の流れについて説明する。図１６〜図２０は小口裁断処理動作を説明するための説明図であり、各図の（ａ）は断面図、（ｂ）は上視図である。
【０１０３】
図１６で示すように、中折りされた冊子束Ｂはセンター基準で入口搬送ローラ対８０１にて受け渡され、ベルト搬送ローラ８０２と搬送ローラ８０３の駆動により、斜行補正ストッパ８１０へ搬送される。この時には、下グリッパ８０８、上グリッパ８０７は開放状態となっており、斜行補正ストッパ８１０は既に斜行補正位置に移動待機している。
【０１０４】
次に図１７で示すように冊子束Ｂは斜行補正ストッパ８１０に突き当たり斜行取りがされた後、ベルト搬送ローラ８０２、搬送ローラ８０３を停止し、上グリッパ８０７を下降させることにより冊子束Ｂは固定される。
【０１０５】
次に図１８で示すように、カッター８０９により小口裁断処理が実施され、冊子束Ｂの小口が裁断される。その後、図１９で示すように、斜行補正ストッパ８１０を退避させ、上グリッパ８０７を上昇させることで冊子束Ｂの搬送準備を行う。
【０１０６】
次に図２０で示すように、グリップ解除された冊子束Ｂは、ベルト搬送ローラ８０２、搬送ローラ８０３、排出搬送ローラ８０４を動かすことで小口裁断処理された冊子束Ｂを機外へ排出する。ここでは、冊子束Ｂを製本積載トレイ１１に排出する（図１参照）。
【０１０７】
（製本モードの設定）
次に、製本モード及び断裁モードの設定の流れについて図２８〜図３１を参照しながら説明する。
【０１０８】
図２８に示す初期画面でソフトキーである「応用モード」を選択すると、操作表示部４２０が図２９（ａ）に示すような各種モードを選択する画面に切り替わる。ここで、「製本」を選択すると、図２９（ｂ）に示すように、出力するシートを収納したカセットを選択可能なキーが表示される。ここで、使用するサイズのシートが収納されたカセットを選択し「次へ」のソフトキーを押下すると、図２９（ｃ）に示すように、製本束に対する処理を設定する画面となる。
【０１０９】
製本モードを選択した場合、少なくとも中折りを行うが、中綴じを行うか否かはユーザーが選択可能であり、図２９（ｃ）に示すように「中綴じする」と「中綴じしない」のいずれかを選択する。更に、中綴じとは独立に、断裁するか否かも選択可能となっている。
【０１１０】
ここで、図２９（ｃ）に示す画面にて、中綴じの設定がいずれであっても「断裁しない」が選択され、「ＯＫ」キーが押されると、設定が終了し、図３１に示す平坦処理設定画面となる。
【０１１１】
図２９（ｃ）に示す画面にて、中綴じの設定がいずれであっても「断裁する」が選択され「ＯＫ」キーが押されると、次に図３０（ａ）に示す断裁処理を設定する画面となり、小口断裁のみを行うか、小口断裁と天地断裁の両方行う三方断裁を行うかを選択する。
【０１１２】
図３０（ａ）に示す画面にて小口断裁が選択された場合、図３０（ｂ）に示すように、冊子束の小口のシート端部から断裁する長さｓを設定する画面となり、操作表示部のテンキーから任意の断裁量を設定する。断裁量を設定した後、「ＯＫ」キーが押されると、設定が終了し、図３１に示す平坦処理設定画面となる。
【０１１３】
図３０（ａ）に示す画面にて三方断裁が選択された場合、図３０（ｃ）に示すように、冊子束の小口のシート端部から断裁する長さｓ、及び天地のシート端部から裁断する長さｔを設定する画面となり、操作表示部のテンキーから任意の断裁量を設定する。断裁量を設定した後、「ＯＫ」キーが押されると、設定が終了し、図３１に示す平坦処理設定画面となる。
【０１１４】
図３１に示す平坦処理設定画面では、平坦処理の実施の有無を設定した後、「ＯＫ」キーが押されると設定が終了し初期画面へと戻り、スタートキー４０２が押下されて動作が開始するのを待つ状態となる。
【０１１５】
（製本モードにおける平坦処理と裁断処理の組み合わせ動作）
次に、中折り処理された冊子束に対して変形処理としての平坦処理と裁断処理を組み合わせて実施する場合の処理動作の流れについて、図３２を参照しながら説明する。
【０１１６】
本実施の形態では、中折りされた冊子束に対して、平坦処理と裁断処理を実施する場合には、裁断装置６００，８００によって裁断する冊子束の端部の位置に応じて、冊子束の品位が更に向上するように、平坦処理と裁断処理の順番を変更するようにしている。
【０１１７】
まず、図３２の動作の流れについて説明する。中折り処理動作が開始されると、ステップＳ１００１にてフィニッシャ５００に備えられた中折り機構により中折り処理が実施される。
【０１１８】
次にステップＳ１００２で天地裁断処理の設定がされているか否かの判断をする。ここで、天地裁断処理の設定がされていたらステップＳ１００３へ進み、天地裁断装置６００にて天地裁断処理を実施する。一方、天地裁断処理の設定がなされていなければステップＳ１００４へ進む。
【０１１９】
次にステップＳ１００４で平坦処理の設定がされているか否かの判断をする。ここで、平坦処理の設定がされていたらステップＳ１００５へ進み、平坦処理装置７００にて平坦処理を実施する。一方、平坦処理の設定がされていなければステップＳ１００６へ進む。
【０１２０】
次にＳ１００６で小口裁断処理の設定がされているか否かの判断をする。ここで、小口裁断処理の設定がされていたらステップＳ１００７へ進み、小口裁断装置８００にて小口裁断処理を実施する。一方、小口裁断処理の設定がされていなければステップＳ１００８へ進み、製本積載トレイ１１へ中折り冊子束を排出する。そして、製本モードの動作を終了する。
【０１２１】
ここで、中折り処理された冊子束に対して平坦処理と裁断処理を組み合わせて実施する動作のうち、図３１（ａ）に示す設定画面にて小口裁断が設定された場合の動作の流れを、図３２を用いて説明する。なお、小口裁断が設定されると裁断処理のうちの小口裁断処理のみが設定されるものとして説明する。
【０１２２】
中折り処理動作が開始されると、ステップＳ１００１にてフィニッシャ５００に備えられた中折り機構により中折り処理が実施される。
【０１２３】
次にステップＳ１００２では、天地裁断処理の設定がなされていないため、ステップＳ１００４へ進む。
【０１２４】
次にステップＳ１００４では、平坦処理の設定がされているため、ステップＳ１００５へ進み、平坦処理装置７００にて平坦処理を実施する。平坦処理を実施した後、ステップＳ１００６へ進む。
【０１２５】
次にＳ１００６では、小口裁断処理の設定がされているため、ステップＳ１００７へ進み、小口裁断装置８００にて小口裁断処理を実施する。小口裁断処理を実施した後、ステップＳ１００８へ進み、製本積載トレイ１１へ中折り冊子束を排出し、製本モードの動作を終了する。
【０１２６】
このように、中折り処理された冊子束に対して、小口裁断処理と平坦処理を実施する場合には、平坦処理を実施した後に小口裁断処理を実施する。これにより、小口裁断面のバラツキ発生を防ぎ、冊子束の品位を低下させることはなく、ユーザーに品位の高い冊子束を提供することが可能となる。
【０１２７】
次に、中折り処理された冊子束に対して平坦処理と裁断処理を組み合わせて実施する動作のうち、図３１（ａ）に示す設定画面にて三方裁断が設定された場合の動作の流れを、図３２を用いて説明する。なお、三方裁断が設定されると小口裁断処理と天地裁断処理が設定されるものとして説明する。
【０１２８】
中折り処理動作が開始されると、ステップＳ１００１にてフィニッシャ５００に備えられた中折り機構により中折り処理が実施される。
【０１２９】
次にステップＳ１００２では、天地裁断処理の設定がされているため、ステップＳ１００３へ進み、天地裁断装置６００にて天地裁断処理を実施する。天地裁断処理を実施した後、ステップＳ１００４へ進む。
【０１３０】
次にステップＳ１００４では、平坦処理の設定がされているため、ステップＳ１００５へ進み、平坦処理装置７００にて平坦処理を実施する。平坦処理を実施した後、ステップＳ１００６へ進む。
【０１３１】
次にＳ１００６では、小口裁断処理の設定がされているため、ステップＳ１００７へ進み、小口裁断装置８００にて小口裁断処理を実施する。小口裁断処理を実施した後、ステップＳ１００８へ進み、製本積載トレイ１１へ中折り冊子束を排出し、製本モードの動作を終了する。
【０１３２】
このように、中折り処理された冊子束に対して、天地裁断処理、平坦処理、及び小口裁断処理を実施する場合には、平坦処理を実施する前に天地裁断処理を実施し、平坦処理を実施した後に小口裁断処理を実施する。これにより、平坦処理した冊子束の折り端部の潰れを防ぐと共に、小口裁断面のバラツキ発生を防ぎ、冊子束の品位を低下させることはなく、ユーザーに品位の高い冊子束を提供することが可能となる。
【０１３３】
以上説明したように、本実施の形態によれば、裁断装置６００，８００によって裁断する冊子束の端部の位置に応じて、冊子束の品位が向上するように、平坦処理と裁断処理の順番を変更している。これにより、冊子束に対して平坦処理と裁断処理を組み合わせて実施しても、冊子束の品位を低下させることなく、冊子束の品位を更に向上させることができる。
【０１３４】
なお、前述した実施の形態では、図３１（ａ）に示す設定画面にて小口裁断又は三方裁断が選択可能な構成を例示したが、本発明はこれに限定されるものではない。例えば、図３１（ａ）に示す設定画面にて、裁断処理のうちの天地裁断処理のみが設定される天地裁断が選択可能な構成としても良い。このようにして、中折り処理された冊子束に対して、天地裁断処理と平坦処理を実施する場合には、天地裁断処理を実施した後に平坦処理を実施する。これにより、平坦処理した冊子束の折り端部の潰れを防ぎ、冊子束の品位を低下させることはなく、ユーザーに品位の高い冊子束を提供することが可能となる。
【０１３５】
また、前述した実施の形態では、天地裁断装置６００、平坦処理装置７００、小口裁断装置８００が個別の装置でシステム構成されるシート処理装置を例示したが、一つのシート処理装置に複数の処理機能を備える構成であってもかまわない。
【０１３６】
また、前述した実施の形態では、天地裁断装置６００と小口裁断装置８００の両方の裁断処理手段を備える構成を例示したが、どちらか一方の裁断処理手段のみ備える構成であってもかまわない。
【０１３７】
また、前述した実施の形態では、画像形成システムにおけるシート処理装置に本発明を適用した構成を例示して説明したが、本発明はこれに限定されるものではない。例えば、前述した画像形成部、中折り処理手段、平坦処理手段、及び裁断処理手段を有する画像形成装置に本発明を適用しても前述した効果と同様の効果が得られる。
【０１３８】
また、前述した実施の形態では、裁断処理手段を天地裁断装置６００と小口裁断装置８００に分けて平坦処理装置７００の搬送方向上流、搬送方向下流に各々配置したが、本発明はこれに限定されるものではない。例えば、天地裁断部と小口裁断部を一体にした裁断処理装置を平坦処理装置の搬送方向上流、あるいは搬送方向下流のいずれか一方に設け、裁断する冊子束の端部の位置に応じて冊子束のスイッチバック搬送を行い、裁断処理と変形処理の順番を変更してもよい。更に、裁断処理装置において、冊子束の端部を裁断する裁断部は、直交する冊子束の端部にそれぞれ設けても良いし、或いは、冊子束の端部の１つに設けて、ターンテーブルを用いて、裁断する冊子束の端部の位置に応じて冊子束を回転させるようにしても良い。
【図面の簡単な説明】
【０１３９】
【図１】画像形成システムの全体構成図
【図２】画像形成システム全体のコントローラのブロック図
【図３】フィニッシャの断面図
【図４】中折り処理動作を行うフィニッシャの断面図
【図５】中折り処理動作を行うフィニッシャの断面図
【図６】中折り処理動作を行うフィニッシャの断面図
【図７】中折り処理動作を行うフィニッシャの断面図
【図８】中折り処理動作を行うフィニッシャの断面図
【図９】平坦処理装置の断面図（ａ）及び上視図（ｂ）
【図１０】平坦処理動作を行う平坦処理装置の断面図（ａ）及び上視図（ｂ）
【図１１】平坦処理動作を行う平坦処理装置の断面図（ａ）及び上視図（ｂ）
【図１２】平坦処理動作を行う平坦処理装置の断面図（ａ）及び上視図（ｂ）
【図１３】平坦処理動作を行う平坦処理装置の断面図（ａ）及び上視図（ｂ）
【図１４】平坦処理動作を行う平坦処理装置の断面図（ａ）及び上視図（ｂ）
【図１５】小口断裁装置の断面図（ａ）及び上視図（ｂ）
【図１６】小口裁断処理動作を行う小口断裁装置の断面図（ａ）及び上視図（ｂ）
【図１７】小口裁断処理動作を行う小口断裁装置の断面図（ａ）及び上視図（ｂ）
【図１８】小口裁断処理動作を行う小口断裁装置の断面図（ａ）及び上視図（ｂ）
【図１９】小口裁断処理動作を行う小口断裁装置の断面図（ａ）及び上視図（ｂ）
【図２０】小口裁断処理動作を行う小口断裁装置の断面図（ａ）及び上視図（ｂ）
【図２１】天地断裁装置の断面図（ａ）及び上視図（ｂ）
【図２２】天地裁断処理動作を行う天地断裁装置の断面図（ａ）及び上視図（ｂ）
【図２３】天地裁断処理動作を行う天地断裁装置の断面図（ａ）及び上視図（ｂ）
【図２４】天地裁断処理動作を行う天地断裁装置の断面図（ａ）及び上視図（ｂ）
【図２５】天地裁断処理動作を行う天地断裁装置の断面図（ａ）及び上視図（ｂ）
【図２６】天地裁断処理動作を行う天地断裁装置の断面図（ａ）及び上視図（ｂ）
【図２７】天地裁断処理動作を行う天地断裁装置の断面図（ａ）及び上視図（ｂ）
【図２８】操作表示装置における操作表示部の説明図
【図２９】製本モードの設定の流れを示す図
【図３０】製本モードの設定の流れを示す図
【図３１】製本モードの設定の流れを示す図
【図３２】製本モードの動作の流れを示すフローチャート図
【符号の説明】
【０１４０】
Ｂ …冊子束
１０ …画像形成装置本体
１１ …製本積載トレイ
２０ …シート処理装置
２００ …イメージリーダ
３００ …プリンタ
４００ …操作表示装置
４２０ …操作表示部
５００ …フィニッシャ
６００ …天地裁断装置
７００ …平坦処理装置
８００ …小口裁断装置
【図１】
0005361351.tif 000002
【図２】
0005361351.tif 000003
【図３】
0005361351.tif 000004
【図４】
0005361351.tif 000005
【図５】
0005361351.tif 000006
【図６】
0005361351.tif 000007
【図７】
0005361351.tif 000008
【図８】
0005361351.tif 000009
【図２８】
0005361351.tif 000010
【図２９】
0005361351.tif 000011
【図３０】
0005361351.tif 000012
【図３１】
0005361351.tif 000013
【図３２】
0005361351.tif 000014
【図９】
0005361351.tif 000015
【図１０】
0005361351.tif 000016
【図１１】
0005361351.tif 000017
【図１２】
0005361351.tif 000018
【図１３】
0005361351.tif 000019
【図１４】
0005361351.tif 000020
【図１５】
0005361351.tif 000021
【図１６】
0005361351.tif 000022
【図１７】
0005361351.tif 000023
【図１８】
0005361351.tif 000024
【図１９】
0005361351.tif 000025
【図２０】
0005361351.tif 000026
【図２１】
0005361351.tif 000027
【図２２】
0005361351.tif 000028
【図２３】
0005361351.tif 000029
【図２４】
0005361351.tif 000030
【図２５】
0005361351.tif 000031
【図２６】
0005361351.tif 000032
【図２７】
0005361351.tif 000033